(57)【要約】【課題】  冷却液体の流路への冷却液体の供給の有無に応じて、シール部材の液体シール状態を変更可能な真空処理装置用の回転シール機構およびこれを備えた真空処理装置を提供する。【解決手段】回転シール機構１０１は、筒状の中空回転軸２５と、筒状のケーシング部材２３と、中空回転軸２５を回転可能な駆動装置３１と、ケーシング部材２３の外部から中空回転軸２５の中空部に亘るように形成された冷却液体の流路と、中空回転軸２５とケーシング部材２３との間に設けられた、冷却液体貯留部Ｓ１と、中空回転軸２５とケーシング部材２３との間に存在する隙間に、冷却液体貯留部Ｓ１を挟むように配設され、冷却液体貯留部Ｓ１をシールする一対の環状のシール部材５０、５１と、流路への冷却液体の供給の有無に応じて、中空回転軸２５の回転の際の、シール部材５０、５１の液体シール状態を変更可能な調整手段と、備える。【選択図】  図１
2007063645.tif 000002
【特許請求の範囲】
【請求項１】
筒状の中空回転軸と、
前記中空回転軸の外側に位置して前記中空回転軸と同軸状に嵌合し、前記中空回転軸を回転可能に支持する筒状のケーシング部材と、
前記中空回転軸を回転可能な駆動装置と、
前記ケーシング部材の外部から前記中空回転軸の中空部に亘るように形成された冷却液体の流路と、
前記流路の途中に位置して、前記中空回転軸と前記ケーシング部材との間に設けられた、環状かつ溝状の冷却液体貯留部と、
前記中空回転軸と前記ケーシング部材との間に存在する隙間に、前記冷却液体貯留部を挟むように配設され、前記冷却液体貯留部をシールする一対の環状のシール部材と、
前記流路への冷却液体の供給の有無に応じて、前記中空回転軸の回転の際の、前記シール部材の液体シール状態を変更可能な調整手段と、
備えた真空処理装置用の回転シール機構。
【請求項２】
前記シール部材は、前記隙間に浸入した冷却液体が、前記中空回転軸の中心軸の方向に前記隙間から漏れることを、前記中空回転軸との接触圧により抑制可能であり、
前記調整手段を介して前記接触圧が変化する請求項１記載の回転シール機構。
【請求項３】
前記冷却液体が前記流路に供給される場合には、前記調整手段を介して前記接触圧を増してなり、前記冷却液体が前記流路に供給されない場合には、前記調整手段を介して前記接触圧を低下してなる請求項２記載の回転シール機構。
【請求項４】
前記冷却液体が前記流路に供給されない場合には、前記調整手段を介して前記接触圧を無くしてなる請求項３記載の回転シール機構。
【請求項５】
前記調整手段は、前記中空回転軸と前記ケーシング部材との間に設けられ、前記シール部材を保持してこれを前記中心軸の方向に移動してなる筒状可動体と、前記筒状可動体を前記中心軸の方向に移動する昇降手段と、を備え、
前記筒状可動体は、前記シール部材との間の接触反力により、前記シール部材を前記中空回転軸に対して付勢可能に構成され、前記筒状可動体の前記中心軸の方向の移動位置に応じた前記接触反力の多寡により前記接触圧が変化する請求項２記載の回転シール機構。
【請求項６】
前記昇降手段は、前記筒状可動体に接続された棒状のロッドと、前記ロッドを駆動するアクチュエータと、を備え、
前記アクチュエータによる前記ロッドの駆動に基づき、前記筒状可動体が前記中心軸の方向に移動する請求項５記載の回転シール機構。
【請求項７】
前記ロッドは、前記中心軸の方向への移動を規制された状態において前記筒状可動体に螺着された螺子棒であり、前記アクチュエータによる前記螺子棒の回転駆動に基づき、前記筒状可動体が前記中心軸の方向に移動する請求項６記載の回転シール機構。
【請求項８】
前記中空回転軸の外周面に、前記中心軸の方向において前記中空回転軸の軸径を違えた段差部が形成され、前記筒状可動体の移動により、前記シール部材が前記段差部を跨ぐ際に、前記接触圧が変化する請求項５記載の回転シール機構。
【請求項９】
前記中空回転軸の外周面に、前記中心軸の方向において前記中空回転軸の軸径を違えるようにテーパ面が形成され、前記筒状可動体の移動により、前記シール部材が前記テーパ面を前記中心軸の方向に摺動する際に、前記接触圧が変化する請求項５記載の回転シール機構。
【請求項１０】
請求項１乃至９の何れかに記載の回転シール機構と、前記中空回転軸の中空部と連通した、減圧可能な空間を有する真空槽と、を備えた真空処理装置。
【発明の詳細な説明】
【技術分野】
【０００１】
本発明は、真空処理装置用の回転シール機構および真空処理装置に係り、更に詳しくは、シール部材の液体シール技術に関する。
【背景技術】
【０００２】
半導体素子、光学素子等の用途に用いる基板への膜形成には、イオンプレーティング法やスパッタリング法等の真空成膜方法が多用されている。
【０００３】
こうした真空膜形成においては、例えば、蒸発源から基板にもたらされる輻射熱や基板に堆積した物質の基板への伝導熱によって基板の温度が過度に上昇する場合があり、プラスチック基板等の熱影響に対し脆弱な基板であれば、熱ダメージを受けることが懸念される。
【０００４】
このため、熱ダメージを受け易いプラスチック基板等を使用する真空成膜装置には、従来から基板を保持する基板ホルダに冷媒（例えば、冷却水）を循環して基板を冷却する機能が付与され、これにより基板ホルダを介して冷却水との熱交換により基板が、適切に冷却するように構成されている。
【０００５】
そして、こうした基板冷却技術との組合せにおいて、基板ホルダに配した多数の基板を基板ホルダと共に回転させ、これらの基板に堆積する膜の均一化を図る技術が、既に開発されている（例えば、特許文献１参照）。
【０００６】
詳しくは、特許文献１に記載の装置によれば、円盤状の基板ホルダの裏面から延在する円柱状の回転軸体の内部に、基板ホルダに循環させる冷却水（例えば約−５℃の不凍液）通流用のパイプが配置されている。そして、この様な回転軸体の内側構造には、回転軸体を回転させつつ冷却水を回転軸体の内外において案内するためのパイプリングと、回転軸体とハウジングとの間の摺動面の僅かな間隙を伝って回転軸体の中心軸の方向に漏洩する冷却水を封止する環状のシール部材（Ｏリング等のスクィーズパッキン）とが、設けられている。
【０００７】
斯かるシール部材は、回転体の摺動面との接触摩擦により磨耗劣化する消耗品である。このため、シール部材の磨耗劣化への適切な対処法の確立が、シール部材の長寿命化を図り、延いては、真空処理装置のシール部材交換時期を可能な限り延ばして真空処理装置の効率化を図る観点から望まれている。
【０００８】
このようなシール部材の磨耗劣化に対する一対処法として、真空処理装置への適用事例ではないものの、蒸気タービンやガスタービン等の高温高圧の作動流体をシールするブラシシールの磨耗劣化を、ブラシシール下流側の作動流体の圧力の多寡に応じて診断する診断技術と共に、この診断に異常があれば、上記作動流体の圧力に応じてブラシシールの押圧力を調整するというシール性能回復技術が提案されている（例えば、特許文献２参照）。
【特許文献１】特開２００５−８２８３７号公報
【特許文献２】特開２００４−６８９６５号公報
【発明の開示】
【発明が解決しようとする課題】
【０００９】
ところで、真空処理装置（例えば、スパッタリング法やイオンプレーティング法を使った真空成膜装置）には、基板自体の材質や基板への堆積膜条件に依拠して、基板ホルダ内に冷却水を流すことを要するプロセスと、そうすることを要しないプロセスとを兼ねることがある。
【００１０】
そうすると、特許文献１記載の従来の真空成膜装置は、シール部材による冷却水シールの不要な成膜を実行する場合であっても、シール部材の磨耗劣化を進行させるといった不都合を内包していると、本件発明者等は考えた。
【００１１】
なお、特許文献２に記載のシール性能回復技術についても、その前提として、シール部材によって作動流体のシールを常時実行するという状況が念頭に置かれている。
【００１２】
本発明は、斯かる事情に鑑みてなされたものであり、冷却液体の流路への冷却液体の供給の有無に応じて、シール部材の液体シール状態を変更可能な真空処理装置用の回転シール機構およびこれを備えた真空処理装置を提供することを目的とする。
【課題を解決するための手段】
【００１３】
上記課題を解決するため、本発明に係る真空処理装置用の回転シール機構は、筒状の中空回転軸と、前記中空回転軸の外側に位置して前記中空回転軸と同軸状に嵌合し、前記中空回転軸を回転可能に支持する筒状のケーシング部材と、前記中空回転軸を回転可能な駆動装置と、前記ケーシング部材の外部から前記中空回転軸の中空部に亘るように形成された冷却液体の流路と、前記流路の途中に位置して、前記中空回転軸と前記ケーシング部材との間に設けられた、環状かつ溝状の冷却液体貯留部と、前記中空回転軸と前記ケーシング部材との間に存在する隙間に前記冷却液体貯留部を挟むように配設され、前記冷却液体貯留部をシールする一対の環状のシール部材と、前記流路への冷却液体の供給の有無に応じて、前記中空回転軸の回転の際の、前記シール部材の液体シール状態を変更可能な調整手段と、を備えて構成される。
【００１４】
具体的には、前記シール部材は、前記隙間に浸入した冷却液体が、前記中空回転軸の中心軸の方向に前記隙間から漏れることを、前記中空回転軸との接触圧により抑制可能であり、前記調整手段を介して前記接触圧が変化するものである。
【００１５】
斯かる調整手段による接触圧調整例として、前記冷却液体が前記流路に供給される場合には、前記調整手段を介して前記接触圧を増してなり、前記冷却液体が前記流路に供給されない場合には、前記調整手段を介して前記接触圧を低下してなる。
【００１６】
そうすると、前記冷却液体が前記流路に供給される際に、シール部材と中空回転軸の外周面との間に適度の接触圧が保たれ、斯かるシール部材により冷却液体貯留部の冷却液体が適切にシールされる。その一方で、前記冷却液体が前記流路に供給されない場合には、中空回転軸を回転させても、シール部材と中空回転軸の外周面との間の接触摩擦によるシール部材の磨耗劣化の進行は適切に抑制される。
【００１７】
特に、前記冷却液体が前記流路に供給されない場合において、前記調整手段を介して前記接触圧を無くすことにより、シール部材の磨耗劣化の進行が根本的に解消され好適である。
【００１８】
ここで、前記調整手段の一例として、斯かる調整手段が、前記中空回転軸と前記ケーシング部材との間に設けられ、前記シール部材を保持してこれを前記中心軸の方向に移動してなる筒状可動体と、前記筒状可動体を前記中心軸の方向に移動する昇降手段と、を備え、前記筒状可動体は、前記シール部材との間の接触反力により、前記シール部材を前記中空回転軸に対して付勢可能に構成され、前記筒状可動体の前記中心軸の方向の移動位置に応じた前記接触反力の多寡により前記接触圧が変化するものである。
【００１９】
前記昇降手段は、前記筒状可動体に接続された棒状のロッドと、前記ロッドを駆動するアクチュエータと、を備え、前記アクチュエータによる前記ロッドの駆動に基づき、前記筒状可動体が前記中心軸の方向に移動しても良い。
【００２０】
前記ロッドは、例えば、前記中心軸の方向への移動を規制された状態において前記筒状可動体に螺着された螺子棒であり、この場合には、前記アクチュエータによる前記螺子棒の回転駆動に基づき、前記筒状可動体が前記中心軸の方向に移動することになる。
【００２１】
シール部材を保持する前記筒状可動体が前記中心軸の方向に移動することにより、シール部材と中空回転軸との間の接触圧を変える一構成例として、前記中空回転軸の外周面に、前記中心軸の方向において前記中空回転軸の軸径を違えた段差部が形成され、前記筒状可動体の移動により、前記シール部材が前記段差部を跨ぐ際に、前記接触圧を変化させても良い。
【００２２】
また、シール部材を保持する前記筒状可動体が前記中心軸の方向に移動することにより、シール部材と中空回転軸との間の接触圧を変える他の構成例として、前記中空回転軸の外周面に、前記中心軸の方向において前記中空回転軸の軸径を違えるようにテーパ面が形成され、前記筒状可動体の移動により、前記シール部材が前記テーパ面を前記中心軸の方向に摺動する際に、前記接触圧を変化させても良い。
【００２３】
なお、本発明に係る真空処理装置は、上記回転シール機構と、前記中空回転軸の中空部と連通した、減圧可能な空間を有する真空槽と、を備えて構成されても良く、この真空処理装置の一例として、イオンプレーティング装置やスパッタリング装置等の真空成膜装置がある。
【発明の効果】
【００２４】
本発明によれば、冷却液体の流路への冷却液体の供給の有無に応じて、シール部材の液体シール性能を変更可能な真空処理装置用の回転シール機構およびこれを備えた真空処理装置が得られる。
【発明を実施するための最良の形態】
【００２５】
以下、本発明の実施の形態について図面を参照しながら説明する。
【００２６】
図１および図２は、本実施の形態に係る回転シール機構を備えた真空処理装置の一構成例を示した断面図である。
【００２７】
後程詳しく述べるように、図１においては、冷却水循環ポンプＰにより冷却水循環を実行する際の、回転シール機構１０１の状態が図示され、図２においては、冷却水循環ポンプＰにより冷却水循環を停止する際の、回転シール機構１０１の状態が図示されている。
【００２８】
真空処理装置１００は、略円筒状の回転シール機構１０１と、この回転シール機構１０１の中空部１０２と連通して減圧可能な内部空間１２を有する箱型の真空槽１０と、を備えて構成されている。
【００２９】
ここで、適温に冷やされた冷却水は、この回転シール機構１０１の中空回転軸２５の内部に相当する中空部１０２に配置された第１の冷却水内配管５７Ａを流れる。第１の冷却水内配管５７Ａを流れた冷却水は、基板ホルダ４０の冷却水通路４１（詳細構造は省略。）の入口に導かれた後、基板（不図示）との熱交換により温められ冷却水通路４１の出口を通って同じく中空部１０２に配置された第２の冷却水内配管５７Ｂを流れ、回転シール機構１０１の外部に排出される。
【００３０】
要するに、基板ホルダ４０に装着された状態で膜堆積プロセスにより加熱された多数の基板は、冷却水（冷媒）が冷却水通路４１を流れる間に、この冷却水との熱交換により適正な温度に保たれている。
【００３１】
また、この回転シール機構１０１は、基板への膜堆積プロセス中に、この基板を保持する基板ホルダ４０を回転させて、基板に堆積する膜の均一化を図るように構成されている。
【００３２】
次に、回転シール機構１０１の詳細な構成を、図１および図２を参照して説明する。
【００３３】
回転シール機構１０１は、主として図１および図２に示す如く、真空槽１０の壁部１１（上壁）に設けられた孔に気密に装着される円筒状のステンレス製のケーシング部材２３およびこのケーシング部材２３の内側に、ケーシング部材２３の中心軸１０５と同軸状にケーシング部材２３（および後記の筒状可動体１１３）に対して回転可能に配設された円筒状のステンレス製の中空回転軸２５を備えてなる。
【００３４】
また、円筒状の内蓋１２０が、これらのケーシング部材２３および中空回転軸２５の上方に位置する鍔部１２０Ｓを有して中空回転軸２５の中空部１０２に挿入されている。
【００３５】
また、円盤状の外蓋２０は、この内蓋１２０の鍔部１２０Ｓに密接して、中空回転軸２５の中空部１０２の上端開口を塞いで配置される。
【００３６】
更に、円環状の板部材１２２は、ケーシング部材２３の上端と内蓋１２０の鍔部１２０Ｓとより挟まれて、適宜の固定手段（不図示）によりケーシング部材２３に固定されている。
【００３７】
斯かる回転シール機構１０１の形態において、環状の上方軸受２２は、ケーシング部材２３に接続された板部材１２２の内周面に固定され、かつ環状の下方軸受２７は、ケーシング部材２３の内周面に固定されている。これにより、中空回転軸２５が、上下軸受２２、２７を介してケーシング部材２３に対し回転自在に支持されることになる。
【００３８】
また、環状のスプロケット３３は、ケーシング部材２３と中空回転軸２５との間の空間１１２に、中空回転軸２５の外周面に固定され配設されている。そして、中空回転軸２５の駆動用のベルト３２は、ケーシング部材２３に設けられた開口（不図示）を通って回転モータ３１の回転軸（不図示）およびスプロケット３３に連結されている。要するに、この回転シール機構１０１は、スプロケット３３に巻き掛けられたベルト３２に回転駆動力を伝達する、中空回転軸２５回転用のインバータ駆動定トルク回転モータ３１により、ケーシング部材２３に対し中空回転軸２５を回転可能に構成されている。
【００３９】
こうして、回転シール機構１０１の中空回転軸２５の壁部に接続された第１および第２の冷却水内配管５７Ａ、５７Ｂを介して基板ホルダ４０が中空回転軸２５に保持され、これにより、基板ホルダ４０は、中心軸１０５を中心にして約３０ｒｐｍの回転速度で回転する。
【００４０】
なおここで、回転シール機構１０１のケーシング部材２３の鍔部２３Ｓの、真空槽１０の上壁部との間の接触面には、環状溝が形成され、ここにＯリング３０（スクィーズパッキン）を配設することにより、適宜の固定手段（不図示）に基づき両者が固定され適切に真空シールされている。
【００４１】
同じく、内蓋１２０の鍔部１２０Ｓへの、外蓋２０の接触面には、環状溝が形成され、ここにＯリング２９（スクィーズパッキン）を配設することにより、適宜の固定手段（不図示）に基づき両者が固定され適切に真空シールされている。
【００４２】
更に、回転可能な中空回転軸２５と、固定の内蓋１２０の筒部との間には、環状の第１の真空シール部材２４が配設され、かつ回転可能な中空回転軸２５と、固定のケーシング部材２３との間には、環状の第２の真空シール部材２８が配設されている。これにより、中空回転軸２５と内蓋１２０の筒部との間および中空回転軸２５とケーシング部材２３との間が、中空回転軸２５の回転時において適切に真空シールされている。
【００４３】
また、ケーシング部材２３の壁部には、冷却水循環ポンプＰ（供給装置）から延びて第１の冷却水外配管１３Ａに接続する第１の貫通孔Ｈ１が配設され、この第１の貫通孔Ｈ１と同一高さ位置の中空回転軸２５の壁部には、第１の冷却水内配管５７Ａに接続する第２の貫通孔Ｈ２が配設されている。
【００４４】
同じく、ケーシング部材２３には、冷水機（不図示）から延びて第２の冷却水外配管１３Ｂに接続する第３の貫通孔Ｈ３が配設され、この第３の貫通孔Ｈ３と同一高さ位置の中空回転軸２５には、第２の冷却水内配管５７Ｂに接続する第４の貫通孔Ｈ４が配設されている。
【００４５】
ここで、円筒状のステンレス製の筒状可動体１１３が、ケーシング部材２３および中空回転軸２５の間の環状の空間１１２の略下半分に、ケーシング部材２３の内周面および中空回転軸２５の外周面に適宜のシール部材（後記）を介して当接するようにして設けられている。なおこの筒状可動体１１３は、後程説明するように、中空回転軸２５の中心軸１０５の方向に沿って、この空間１１２の上方に移動可能に構成されている。
【００４６】
また、第１の貫通孔Ｈ１と第２の貫通孔Ｈ２との間の連通を可能にする第５の貫通孔Ｈ５が、筒状可動体１１３に肉厚部を貫通するように配設され、第３の貫通孔Ｈ３と第４の貫通孔Ｈ４との間の連通を可能にする第６の貫通孔Ｈ６が、筒状可動体１１３に肉厚部を貫通するように配設されている。
【００４７】
ここで、中空回転軸２５は筒状可動体１１３に対し回転可能に構成されることから、第５の貫通孔Ｈ５と第２の貫通孔Ｈ２との間の、筒状可動体１１３の内周面に、冷却水をこの内周面に沿って周方向に回すための溝状の第１の環状水通路Ｓ１（冷却液体貯留部としての環状空間；環状凹部）が、第５の貫通孔Ｈ５の一部を切り欠くようにして設けられている。これにより、第１の冷却水外配管１３Ａを流れる冷却水が、中空回転軸２５の回転時には約０．５ＭＰａの水圧でもって第１の環状水通路Ｓ１を介してスムーズに第１の貫通孔Ｈ１から第５の貫通孔Ｈ５を経て第２の貫通孔Ｈ２に向けて通流可能であり、第２の貫通孔Ｈ２を通過した冷却水が、中空回転軸２５の中空部１０２に存在する第１の冷却水内配管５７Ａを通ってその下流側の基板ホルダ４０に送られる。
【００４８】
同じく、中空回転軸２５は筒状可動体１１３に対し回転可能に構成されることから、第６の貫通孔Ｈ６と第４の貫通孔Ｈ４との間の、筒状可動体１１３の内周面に、冷却水をこの内周面に沿って周方向に回すための溝状の第２の環状水通路Ｓ２（冷却液体貯留部としての環状空間；環状凹部）が、第６の貫通孔Ｈ６の一部を切り欠くようにして設けられている。これにより、第２の冷却水内配管５７Ｂを流れる冷却水が、中空回転軸２５の回転時には約０．５ＭＰａの水圧でもって第２の環状水通路Ｓ２を介してスムーズに第４の貫通孔Ｈ４から第６の貫通孔Ｈ６を経て第３の貫通孔Ｈ３に向けて通流可能であり、第３の貫通孔Ｈ３を通過した冷却水が、第２の冷却水外配管１３Ｂを通ってその下流側の冷水機に送られる。そして、冷水機により適温に冷却された冷却水が、再び冷却水循環ポンプＰにより第１の冷却水外配管１３Ａに還流される。
【００４９】
なお、図１および図２に示す如く、第１の環状水通路Ｓ１の高さ位置と第２の環状水通路Ｓ２の高さ位置とを違えて、これらの通路Ｓ１、Ｓ２が形成され、これにより、第１の環状水通路Ｓ１を流れる冷却水と、第２の環状水通路Ｓ２を流れる冷却水と、が互いに干渉しないように設計されている。
【００５０】
もっとも、筒状可動体１１３の中心軸１０５の方向の移動距離を見越して、図１および図２に示す如く、第５の貫通孔Ｈ５の高さ位置は、冷却水を通流可能な範囲内において第１および第２の貫通孔Ｈ１、Ｈ２の高さ位置に対し中心軸１０５の方向に偏倚して構成され、第６の貫通孔Ｈ６の高さ位置は、冷却水を通流可能な範囲内において第３および第４の貫通孔Ｈ３、Ｈ４の高さ位置に対し中心軸１０５の方向に偏倚して構成されている。
【００５１】
なおここでは、第１および第２の環状水通路Ｓ１、Ｓ２を筒状可動体１１３の内周面に形成した設計例を述べたが、同じ類の環状水通路を中空回転軸２５の外周面に形成しても良く、筒状可動体１１３の内周面と中空回転軸２５の外周面の両方に跨って形成しても良い。
【００５２】
次に、回転シール機構１０１の回転シール部材５０、５１、５２の構成について図面を参照して述べる。
【００５３】
中空回転軸２５の中心軸１０５の方向に所定の間隔を隔て、第１の環状水通路Ｓ１を上下に挟んで区画するように上下の環状溝が、筒状可動体１１３の内周面に形成されている。そして、これらの環状溝の各々には、一対の環状の回転シール部材５１、５２が、中空回転軸２５の外周面および筒状可動体１１３の内周面の両方に当接して配置されている。
【００５４】
要するに、この様な回転シール部材５１、５２は、中空回転軸２５と筒状可動体１１３の間の隙間に、第１の環状水通路Ｓ１を挟むように配設され、筒状可動体１１３と回転シール部材５１、５２との間の接触反力の多寡により、中空回転軸２５の外周面と回転シール部材５１、５２との間の接触圧が制御され、この接触圧により、第１の環状水通路Ｓ１から筒状可動体１１３および中空回転軸２５の間の僅かな隙間（不図示）に浸入した冷却水が中心軸１０５の方向にこの隙間から漏れることを抑制するように構成されている。
【００５５】
同様に、中空回転軸２５の中心軸方向に所定の間隔を隔て、第２の環状水通路Ｓ２を上下に挟んで区画するように上下の環状溝が、筒状可動体１１３の内周面に形成されている。そして、これらの環状溝の各々には、一対の環状の回転シール部材５０、５１が、中空回転軸２５の外周面および筒状可動体１１３の内周面の両方に当接して配置されている。
【００５６】
そして、この様な回転シール部材５０、５１は、中空回転軸２５と筒状可動体１１３との間の隙間に、第２の環状水通路Ｓ２を挟むように配設され、筒状可動体１１３とこれらの回転シール部材５０、５１との間の接触反力の多寡により、中空回転軸２５の外周面と回転シール部材５１、５０の間の接触圧が制御され、この接触圧により、第２の環状水通路Ｓ２から筒状可動体１１３および中空回転軸２５の間の僅かな隙間に浸入した冷却水が中心軸１０５の方向にこの隙間から漏れることを抑制するように構成されている。
【００５７】
なお、３つの回転シール部材５０、５１、５２のうちの中心軸１０５の上下方向の中央に位置する回転シール部材５１は、第１の環状水通路Ｓ１の冷却水と第２の環状水通路Ｓ２の冷却水との混合を防止することから設けられており、冷却水の漏れ防止の観点から必須の部品では無い。
【００５８】
次に、各回転シール部材５０、５１、５２の詳細な構造を述べる。
【００５９】
各回転シール部材５０、５１、５２は、フッ素樹脂からなる環状かつ剛性の内リング５０Ａ、５１Ａ、５２Ａを有してなり、この内リング５０Ａ、５１Ａ、５２Ａの外面に当接して、所定の弾性力により内リング５０Ａ、５１Ａ、５２Ａを内側に付勢可能な、Ｏリングに代表されるスクィーズパッキンのゴム製の弾性部材としての環状の外リング５０Ｂ、５１Ｂ、５２Ｂが設けられている。
【００６０】
この様な回転シール部材５０、５１、５２によれば、外リング５０Ｂ、５１Ｂ、５２Ｂの弾性変形に基づく内リング５０Ａ、５１Ａ、５２Ａの外面への付勢力により、内リング５０Ａ、５１Ａ、５２Ａの内面が、中空回転軸２５の外周面に所定の接触圧のもとに押し付けられることになる。
【００６１】
こうして内リング５０Ａ、５１Ａ、５２Ａの内面と中空回転軸２５の外周面との間の適正な接触圧の確保により、回転シール部材５０、５１、５２の冷却水シール性能が有効に発揮される。
【００６２】
ここでは、内リング５０Ａ、５１Ａ、５２Ａと、外リング５０Ｂ、５１Ｂ、５２Ｂと、を回転シール部材５０、５１、５２の構成部品として扱うが、正確には、外リング５０Ｂ、５１Ｂ、５２Ｂは、回転シール部材としての内リング５０Ａ、５１Ａ、５２Ａを中空回転軸２５に対して付勢する弾性部材として機能するものである。
【００６３】
なお、ケーシング部材２３の内周面と接触する面の筒状可動体１１３の外周面には、３つの環状溝が形成され、ここにＯリング１１４（スクィーズパッキン）を配設することにより、適切に真空および冷却水シールされている。
【００６４】
次に、中空回転軸２５の外周面の詳細な構成を説明する。
【００６５】
中空回転軸２５の壁部の肉厚量（言い換えると、中空回転軸２５の軸径）が、中空回転軸２５の中心軸１０５の方向において変化するように、中空回転軸２５の外周面には、以下に述べる処理が行われている。
【００６６】
このため、回転シール部材５０、５１、５２は、筒状可動体１１３に保持され、その中心軸１０５の方向の移動する際に、筒状可動体１１３との間の接触反力の多寡により、中空回転軸２５の外周面に付勢する付勢力（回転シール部材５０、５１、５２と中空回転軸２５の外周面との間の接触圧）を可変可能に構成されている。
【００６７】
中空回転軸２５の軸径を変化させる設計例として、中空回転軸２５の外周面に、図１および図２のＡ部拡大図（ａ）に示したように、中空回転軸２５の中心軸１０５の方向において、筒状可動体１１３の内周面との間の距離を違えるようにステップ状の段差部２０１が、この外周面の一部を切り欠いて形成されている。そして、筒状可動体１１３の移動により、シール部材５０が段差部２０１を跨ぐ際に、回転シール部材５０と中空回転軸２５の外周面との間の接触圧が変化する。
【００６８】
中空回転軸２５の軸径を変化させる他の設計例として、中空回転軸２５の外周面に、図１および図２のＡ部拡大図（ｂ）に示したように、中空回転軸の中心軸１０５の方向において、筒状可動体１１３の内周面との間の距離を下方に向かって開くようにしたテーパ面２０２（斜面面）が、この外周面の一部を切り欠いて形成されている。そして、筒状可動体１１３の移動により、シール部材５０がテーパ面２０２を摺動する際に、回転シール部材５０と中空回転軸２５の外周面との間の接触圧が変化する。
【００６９】
なおここでは、代表して、回転シール部材５０の近傍の中空回転軸２５の外周面の詳細構成を述べたが、勿論、回転シール５１および回転シール部材５２の近傍の中空回転軸２５の外周面もこれと同じように構成されている。
【００７０】
次に、筒状可動体１１３を中心軸１０５の方向に移動させる、筒状可動体１１３の昇降手段としての移動機構例を、図面を参照して説明する。
【００７１】
図１および図２から理解されるとおり、円盤状の外蓋２０から更に径方向外側に延在してなる円筒状の内蓋１２０の円環状の鍔部１２０Ｓの延在部分の適所（例えば、鍔部１２０Ｓの平面視における周方向９０°間隔毎の４ヶ所）には、第１のボルト１２４（棒状のロッド；螺子棒）の頭よりも大径の第１のボルト孔１２１が設けられている。
【００７２】
そして、板部材１２２には、第１のボルト１２４の螺子部より大径かつ第１のボルト１２４の頭よりも小径の第２のボルト孔１２３が、第１のボルト孔１２１と同じ位置に設けられている。
【００７３】
更に、第１のボルト１２４の頭が板部材１２２に当接した状態において、第１のボルト１２４の螺子部が、第１および第２のボルト孔１２１、１２３を通って空間１１２の上半分の領域に至り、その結果、第１のボルト１２４の螺子部の先端が、筒状可動体１１３の中心軸１０５の方向上面に設けられた螺子孔１２５に螺着されている。
【００７４】
なお、この螺子孔１２５は、第１のボルト１２４の充分な進入を許すようにより深く螺刻されている。
【００７５】
筒状可動体１１３は、ケーシング部材２３および中空回転軸２５および第１のボルト１２４により中心軸１０５の方向への移動を除きその動きを規制され、第１のボルト１２４は、板部材１２２により、中心軸１０５の下方への移動を規制されている。
【００７６】
この様な第１のボルト１２４の螺子部（雄ねじ）と筒状可動体１１３の螺子孔１２５（雌ねじ）との間のねじ嵌合によれば、第１のボルト１２４による螺子の締め付け力が、筒状可動体１１３の中心軸１０５の方向への移動作用力に変換される。仮に、図２において、第１のボルト１２４を螺子孔１２５に更に深く螺着させようとすれば、この第１のボルト１２４による螺着進行分、この第１のボルト１２４と噛み合った筒状可動体１１３は、中心軸１０５に沿って上方に移動せしめられる。
【００７７】
また、図１および図２に二点鎖線で記したように、筒状可動体１１３の中心軸１０５の方向の移動の際に、筒状可動体１１３の確実な位置決めを可能にするために、第１のボルト１２４と貫通位置を違えた箇所（例えば、鍔部１２０Ｓの平面視における第１のボルト１２４の貫通位置から４５°ずれた箇所）に、鍔部１２０Ｓおよび板部材１２２を通してなる第２のボルト１２６（螺子棒）を設けて、この第２のボルト１２６の先端を筒状可動体１１３の上面に当接させても良い。
【００７８】
こうすると、筒状可動体１１３の上面との当接による第２のボルト１２６の圧縮力とこの圧縮力に抗する第１のボルト１２４による筒状可動体１１３の引張力とによって、筒状可動体１１３の中心軸１０５の方向の動きが確実に規制され好適である。
【００７９】
なおここで、回転シール機構１０１の制御装置８０は、例えば、ＣＰＵ（中央演算装置；不図示）と、真空処理装置１００の各ユニットの制御プログラム等を予め格納したＲＯＭ（リードオンリーメモリ；不図示）と、各種データの一時的な記憶部としてのＲＡＭ（ランダムアクセスメモリ；不図示）と、を備えて構成されている。
【００８０】
制御装置８０への入力センサ例として、電流センサ８２と、流量センサ７８と、がある。
【００８１】
回転シール機構１０１の電流センサ８２は、回転モータ３１の負荷電流を検出するセンサであり、この負荷電流は、回転シール部材５０、５１、５２を中空回転軸２５の外周面に押し付けてこの中空回転軸２５を回転させた際の、中空回転軸２５に作用する回転トルクに対応している。そしてこの回転トルクは、回転シール部材５０、５１、５２と中空回転軸２５との間の冷却水シール性能（密着度合）に直接に対応している。
【００８２】
このことから、回転モータ３１の負荷電流データは、回転シール部材５０、５１、５２の内側のフッ素樹脂製の内リング５０Ａ、５１Ａ、５２Ａの磨耗劣化に関連して、中空回転軸２５の外周面との接触圧の状態に対応する状態信号であって、これは回転シール部材５０、５１、５２の冷却水シール性能評価の有効な指標になる。
【００８３】
ここで、真空処理装置１００の回転シール機構１０１による回転シール部材５０、５１、５２の冷却水シール性能の判定内容を詳しく述べる。
【００８４】
制御装置８０のＣＰＵは、電流センサ８２により検出された電流データを取得して、この電流データをＲＡＭに記憶させ、当該電流データに基づいて、予め設定された基準データとの比較により回転シール部材５０、５１、５２の冷却水シール性能を適正に判定する。
【００８５】
図４は、横軸に一定時間（例えば、１時間当たり）当たりに回転シール部材から漏洩する冷却水の漏れ容積量（ΔＬｍ）の相対数値（無負荷状態の最大漏れ容積量を「１」、最大負荷電流の最小漏れ容積量を「０」として、漏れ容積量の数値を表示）をとり、縦軸に回転モータの負荷電流の測定値（Ａｍ）の相対数値（最大負荷電流（αE；例えば３．７Ａ程度）を「１００％」、無負荷電流（αS；例えば２．４Ａ程度）を「０％」として、負荷電流の測定値の数値を表示）をとって、これらの数値の相関を示した図である。
【００８６】
図４に示した通報漏れ容積量（Ｌ1）は、冷却水漏れ検知を作業者に通報する第１の基準負荷電流（α1）に対応し、この値は、回転シール部材５０、５１、５２の冷却水シール性能の劣化が進行中であることを意味する。
【００８７】
また、ここに述べた通報漏れ容積量（Ｌ1）は、適宜のドレン孔（不図示）による水抜き機能が有効に発揮される程度の量に相当し、この状態においては真空処理装置１００に対し真空槽１０の内部空間１２への冷却水浸入等の深刻な不具合を招く可能性は低い。
【００８８】
また、この通報漏れ容積量（Ｌ1）より漏れ量の多い許容限界漏れ容積量（Ｌ2）は、真空処理装置１００を止め、回転シール交換を作業者に促す第２の基準負荷電流（α2）に対応し、この値は、回転シール部材５０、５１、５２の冷却水シール性能の劣化が、最小限の冷却水シール性能さえ発揮し得ない深刻な状態に達したことを意味する。
【００８９】
即ち、ここに述べた許容限界漏れ容積量（Ｌ2）は、上記第１および第２のドレン孔７３、７４による水抜き機能の排水能力を超えた量に相当し、真空処理装置１００に対し真空槽１０の水汚染を招く可能性がある。
【００９０】
なお、第１および第２の基準負荷電流（α1）、（α2）および最大負荷電流（αE）並びに無負荷電流（αS）並びに通報漏れ容積量（Ｌ1）並びに許容限界漏れ容積量（Ｌ2）の各データは、予め設定された基準データとして制御装置８０のＲＯＭに記憶され、適宜、ＣＰＵに読み込まれる。
【００９１】
一方、回転シール機構１０１の流量センサ７８は、第１および第２の環状水通路Ｓ１、Ｓ２を流れる冷却水の流量を検出可能なセンサであり、例えば第２の冷却水外配管１３Ｂの途中に配設されている。この流量センサ７８は、基板ホルダ４０に供給する冷却水のトータル水量のモニター用として真空処理装置１００に標準的に装備されるセンサである。
【００９２】
制御装置８０により制御される制御対象例として、モータ駆動回路８１により駆動される回転モータ３１と、ボルト駆動装置１２７により回転駆動される第１および第２のボルト１２４、１２６と、冷却水循環ポンプＰと、がある。
【００９３】
すなわち、制御装置８０によって、回転モータ３１の回転数、第1および第２のボルト１２４、１２６のボルト位置、および冷却水循環ポンプＰの冷却水供給量が制御されることになる。
【００９４】
なお本明細書中の制御装置とは、複数の制御装置が協働して真空処理装置の各ユニットの動作を制御する制御装置群およびこれらの制御装置を統合した単一の制御装置の何れをも意味するものである。
【００９５】
次に、以上の如く構成された真空処理装置１００の動作を述べる。
【００９６】
図３は、制御装置のＲＯＭに格納された制御プログラムにより実行される真空処理装置１００の動作ルーチンの一例を示したフローチャートである。
【００９７】
本ルーチンの開始タイミングは、作業者の手動によるルーチンスタート指令に基づいても良く、制御装置８０による所定の期間毎の自動スタートに基づいても良い。
【００９８】
最初に、制御装置８０のＣＰＵは、流量センサ７８により検知された、冷却水の流量データＬｍを読み込む（ステップＳ３０１）。
【００９９】
ここで、このＣＰＵは、流量データＬｍの値がゼロであるか否かを判定する（ステップＳ３０２）。もっとも、ＣＰＵが、冷却水循環ポンプＰへの制御信号の有無に基づく、同じ類の判定動作を実行しても良い。
【０１００】
この流量データＬｍの値がゼロで無ければ（ステップＳ３０２において「Ｎｏ」）、冷却水循環ポンプＰにより第１および第２の環状溝通路Ｓ１、Ｓ２中を冷却水が循環している状態にあるため、制御装置８０のＣＰＵは、ボルト駆動装置１２７を介して、第１のボルト１２４により筒状可動体１１３に保持された回転シール部材５０、５１、５２を図１に示した位置（中空回転軸２５の軸径の大きな位置）に移動させる。これにより、回転シール部材５０、５１、５２と中空回転軸２５の外周面との間の、接触状態（回転シール部材５０、５１、５２による第１および第２の環状溝通路Ｓ１、Ｓ２のシール状態）が実現される（ステップＳ３０３）。
【０１０１】
続いて、制御装置８０のＣＰＵは、電流センサ８２により検出されＲＡＭに記憶された回転モータ３１の負荷電流の測定値（Ａｍ）を読み込む（ステップＳ３０４）。なお、この負荷電流の測定値（Ａｍ）は、電流センサ８２から得られた実測値の生データでは無く、図４に示した縦軸の値に対応可能なように規格化された数値である。
【０１０２】
続いて、ＣＰＵは、この負荷電流の測定値（Ａｍ）が第１の基準負荷電流（α1）以下であるか否かを判定する（ステップＳ３０５）。
【０１０３】
ここで、この負荷電流の測定値（Ａｍ）が第１の基準負荷電流（α1）以下であれば（ステップＳ３０５において「Ｙｅｓ」）、次の判定ステップに進み、ＣＰＵは、この負荷電流の測定値（Ａｍ）が第２の基準負荷電流（α2）以下であるか否かを判定する（ステップＳ３０６）。
【０１０４】
そして、この負荷電流の測定値（Ａｍ）が第２の基準負荷電流（α2）以下であれば（ステップＳ３０６において「Ｙｅｓ」）、ＣＰＵは、真空処理装置１００の停止および回転シール部材５０、５１、５２の交換を、作業者に促すメッセージを適宜の表示部（不図示）に表示して（ステップＳ３０７）、本ルーチンを終える。
【０１０５】
その一方で、この負荷電流の測定値（Ａｍ）が第２の基準負荷電流（α2）を超える値であれば（但し、第１の基準負荷電流（α1）以下；ステップＳ３０６において「Ｎｏ」）、ＣＰＵは、冷却水漏れ検知を作業者に通報するメッセージを表示部に表示して（ステップＳ３０８）、本ルーチンを終える。
【０１０６】
また、この負荷電流の測定値（Ａｍ）が第１の基準負荷電流（α1）を超える値であれば（ステップＳ３０５において「Ｎｏ」）、回転シール部材５０、５１、５２の冷却水シール性能に何等の劣化も見られないため、ＣＰＵは、何らのメッセージも表示部に表示すること無く、本ルーチンを終える。
【０１０７】
ここで、上記ステップＳ３０２において、この流量データＬｍの値がゼロであれば（ステップＳ３０２において「Ｙｅｓ」）、冷却水循環ポンプＰにより第１および第２の環状溝通路Ｓ１、Ｓ２中を冷却水が循環してない状態にある。このため、第１〜第５の貫通孔Ｈ１、Ｈ２、Ｈ３、Ｈ４、Ｈ５と、第１および第２の環状水通路Ｓ１、Ｓ２に内在する冷却水を適宜の水抜き手段（不図示）により排水した上で、制御装置８０のＣＰＵは、ボルト駆動装置１２７を介して、第１のボルト１２４の回転動作により筒状可動体１１３の回転シール部材５０、５１、５２を図２に示した位置（中空回転軸２５の軸径の小さな位置）に移動させる。これにより、回転シール部材５０、５１、５２と中空回転軸２５の外周面との間の、非接触状態（回転シール部材５０、５１、５２による第１および第２の環状溝通路Ｓ１、Ｓ２の未シール状態）が実現される（ステップＳ３０９）。続いて、ＣＰＵは、ステップＳ３０１に戻って既に述べた処理内容を再び実行する。
【０１０８】
以上に述べた筒状可動体１１３によれば、筒状可動体１１３の中心軸１０５の方向（中空回転軸２５の中心軸１０５の方向）への移動により、冷却水循環ポンプＰから第１および第２の環状水通路Ｓ１、Ｓ２に供給される冷却水の供給の有無に応じて、回転シール部材５０、５１、５２と中空回転軸２５との間の接触圧が適宜変更可能になる。
【０１０９】
要するに、第１および第２の環状水通路Ｓ１、Ｓ２への冷却水の供給中（圧送供給中）であれば、回転シール部材５０、５１、５２と中空回転軸２５の外周面との間の当接部が、両者間の接触圧の増加域（例えば、図１における、段差部２０１を境にして中空回転軸２５の軸径の大きい領域）に位置付けられる。
【０１１０】
これにより、回転シール部材５０、５１、５２と中空回転軸２５の外周面との間に適度の接触圧が保たれ、回転シール部材５０、５１、５２により第１および第２の環状水通路の冷却水が適切にシールされる。
【０１１１】
その一方、第１および第２の環状水通路Ｓ１、Ｓ２への冷却水の未供給中であれば、回転シール部材５０、５１、５２と中空回転軸２５の外周面との間の当接部が、両者間の接触圧の低下域（例えば、図２における、段差部２０１を境にして中空回転軸２５の軸径の小さい領域）に位置付けられる。
【０１１２】
これにより、中空回転軸２５を回転させても、回転シール部材５０、５１、５２と中空回転軸２５の外周面との間の接触摩擦による回転シール部材５０、５１、５２（正確には回転シール部材５０、５１、５２のうちの内側にあるフッ素樹脂製の内リング５０Ａ、５１Ａ、５２Ａ）の磨耗劣化の進行が適切に抑制される。特にこの場合に、回転シール部材５０、５１、５２と中空回転軸２５の外周面との間に僅かな間隙を形成させれば、両者間の接触圧が無くなり、回転シール部材５０、５１、５２の磨耗劣化の進行が根本的に解消され好適である。
【０１１３】
この様にして本実施の形態による真空処理装置１００は、回転シール部材５０、５１、５２の磨耗劣化による寿命（部品交換サイクル期間）を延ばすことを可能にする。
【０１１４】
また、以上に述べた真空処理装置１００の回転シール機構１０１によれば、回転シール部材５０、５１、５２を中空回転軸２５の外周面に押し付けてこの中空回転軸２５を回転させた際の、回転シール部材５０、５１、５２（正確には内リング５０Ａ、５１Ａ、５２Ａ）の磨耗劣化に関連する回転シール部材５０、５１、５２の冷却水シール性能評価の有効な指標が得られ、回転シール機構１０１の制御装置８０が、この指標データに基づいて、予め設定された基準データとの比較により回転シール部材５０、５１、５２の冷却水シール性能を適正に判定できる。
【０１１５】
また、電流センサ８２（冷却水シール性能判定）と筒状可動体１１３（回転シール部材５０、５１、５２の中心軸１０５の方向への移動）とを組み合わせることにより、回転シール部材５０、５１、５２における冷却水シール性能の磨耗劣化をきたした際の、この回転シール部材５０、５１、５２の冷却水シール性能を復帰させる冷却水シール性能回復機能も構築され得る。
【０１１６】
すなわち、回転シール部材５０、５１、５２を中空回転軸２５の外周面に押し付けてこの中空回転軸２５を回転させた際の、回転シール部材５０、５１、５２（正確には内リング５０Ａ、５１Ａ、５２Ａ）の磨耗劣化に関連する、電流センサ８２による回転シール部材５０、５１、５２の冷却水シール性能の判定結果に基づき、回転シール部材５０、５１、５２が磨耗劣化しても、回転シール部材５０、５１、５２と中空回転軸２５との間の接触圧が、筒状可動体１１３の移動により回復される。
【０１１７】
なお本実施の形態では、中心軸１０５の上下方向の回転シール部材５１、５２により第１の環状水通路Ｓ１を挟み、中心軸１０５の上下方向の回転シール部材５０、５１により第２の環状水通路Ｓ２を挟むような回転シール部材５０、５１、５２の配置構成例を述べたが、これに限らず、冷却水シール性能を向上させる観点から、例えば、同じ類の回転シール部材を多数段に亘って設けても良い。
【０１１８】
またここでは、筒状可動体１１３をその中心軸１０５の方向に移動させる例を説明したが、これに替えて中空回転軸２５をその中心軸１０５の方向に移動させても良い。
【０１１９】
〔変形例〕
図３に示したフローチャートのステップＳ３０５においては、ＣＰＵが、電流センサ８２により検出されＲＡＭに記憶された、電流データＡｍを読み込む処理例を説明した。
【０１２０】
ここでは、その変形例として、ＣＰＵが、流量センサ７８により検出されＲＡＭに記憶された、冷却水の流出流量を順次読み込み、一定時間中に変動したトータル流量（即ち、前回読み込んだ流量との差分）を演算し、この変動量を漏れ容積量（ΔＬｍ）として採用しても良い。
【０１２１】
流量センサ７８により得られる流量データの一定時間当たりの流量の変動量（差分量）は、第１および第２の環状水通路Ｓ１、Ｓ２から漏洩する漏れ冷却水容積量（ΔＬｍ）に対応するものである。
【０１２２】
このことから、この差分データは、回転シール部材５０、５１、５２の内側のフッ素樹脂製の内リング５０Ａ、５１Ａ、５２Ａの磨耗劣化に関連して、中空回転軸２５の外周面との接触圧の状態に対応する状態信号であって、これは回転シール部材５０、５１、５２の冷却水シール性能評価の有効な指標になる。
【０１２３】
なお、この漏れ容積量（ΔＬｍ）は、流量センサ７８から得られた実測値の生データでは無く、図４に示した横軸の値に対応可能なように規格化された数値である。
【０１２４】
すなわち、流量センサ７８により得られた漏れ容積量（ΔＬｍ）としての通報漏れ容積量（Ｌ1）は、冷却水漏れ検知を作業者に通報する値に相当し、回転シール部材５０、５１、５２の冷却水シール性能の劣化が進行中であることを意味する。要するに、ここに述べた通報漏れ容積量（Ｌ1）は、適宜のドレン孔による水抜き機能が有効に発揮される程度の量であり、この状態においては真空処理装置１００に対し真空槽１０の内部空間１２への冷却水浸入等の深刻な不具合を招く可能性は低い。
【０１２５】
また、この通報漏れ容積量（Ｌ1）より漏れ量の多い、流量センサ７８により得られた漏れ容積量（ΔＬｍ）としての許容限界漏れ容積量（Ｌ2）は、真空処理装置１００を止め、回転シール交換を作業者に促す値に相当し、回転シール部材５０、５１、５２の冷却水シール性能の劣化が、最小限の冷却水シール性能さえ発揮し得ない深刻な状態に達したことを意味する。要するに、ここに述べた許容限界漏れ容積量（Ｌ2）は、ドレン孔による水抜き機能の排水能力を超えた量であり、真空処理装置１００に対し真空槽１０の水汚染を招く可能性がある。
【０１２６】
本変形例によれば、流量センサ７８は、基板ホルダ４０に供給する冷却水のトータル水量のモニター用として真空処理装置１００に標準的に装備されたセンサであって、この流量センサ７８を回転シール部材５０、５１、５２の冷却水シール性能評価に使えば、真空処理装置１００の部品数を増やさずに済む。
【産業上の利用可能性】
【０１２７】
本発明による真空処理装置用の回転シール機構によれば、冷却液体の流路への冷却液体の供給の有無に基づき、シール部材の液体シール状態を適宜変更でき、例えば、真空処理用の基板を回転させつつ流動冷媒により冷却してなる真空処理装置の回転シール機構の用途に適用できる。
【図面の簡単な説明】
【０１２８】
【図１】本実施の形態に係る回転シール機構を備えた真空処理装置の一構成例を示した断面図である。
【図２】本実施の形態に係る回転シール機構を備えた真空処理装置の一構成例を示した断面図である。
【図３】制御装置のＲＯＭに格納された制御プログラムにより実行される真空処理装置１００の動作ルーチンの一例を示したフローチャートである。
【図４】一定時間当たりに回転シール部材から漏洩する冷却水の漏れ容積量（ΔＬｍ）の相対数値と、回転モータの負荷電流の測定値（Ａｍ）の相対数値と、の相関を示した図である。
【符号の説明】
【０１２９】
１０                                      真空槽
１１                                      壁部
１２                                      内部空間
１３Ａ                                    第１の冷却水外配管
１３Ｂ                                    第２の冷却水外配管
２０                                      外蓋
２２                                      上方軸受
２３                                      ケーシング部材
２３Ｓ                                    ケーシング部材の鍔部
２４                                      第１の真空シール部材
２５                                      中空回転軸
２７                                      下方軸受
２８                                      第２の真空シール部材
２９、３０、１１４                        Ｏリング
３１                                      回転モータ
３２                                      ベルト
３３                                      スプロケット
４０                                      基板ホルダ
４１                                      冷却水通路
５０、５１、５２                          回転シール部材
５０Ａ、５１Ａ、５２Ａ                    内リング
５０Ｂ、５１Ｂ、５２Ｂ                    外リング
５７Ａ                                    第１の冷却水内配管
５７Ｂ                                    第２の冷却水内配管
７８                                      流量センサ
８０                                      制御装置
８１                                      モータ駆動回路
８２                                      電流センサ
１００                                    真空処理装置
１０１                                    回転シール機構
１０２                                    中空部
１０５                                    中心軸
１１２                                    空間
１１３                                    筒状可動体
１２０                                    内蓋
１２０Ｓ                                  内蓋の鍔部
１２１                                    第１のボルト孔
１２２                                    板部材
１２３                                    第２のボルト孔
１２４                                    第１のボルト
１２５                                    螺子孔
１２６                                    第２のボルト
１２７                                    ボルト駆動装置
Ｈ１                                      第１の貫通孔
Ｈ２                                      第２の貫通孔
Ｈ３                                      第３の貫通孔
Ｈ４                                      第４の貫通孔
Ｈ５                                      第５の貫通孔
Ｈ６                                      第６の貫通孔
Ｓ１                                      第１の環状水通路
Ｓ２                                      第２の環状水通路
Ｐ                                        冷却水循環ポンプ
【図１】
2007063645.tif 000003
【図２】
2007063645.tif 000004
【図３】
2007063645.tif 000005
【図４】
2007063645.tif 000006